【手続補正書】
【提出日】平成16年6月1日(2004.6.1)
【手続補正１】
【補正対象書類名】明細書
【補正対象項目名】特許請求の範囲
【補正方法】変更
【補正の内容】
【特許請求の範囲】
【請求項１】
長い共役側より順に、少なくとも、正の屈折力の第１レンズ群、負の屈折力の第２レンズ群、第３レンズ群とを有し、広角端から望遠端へのズーミングに際して、前記第２レンズ群を移動させることにより像の大きさを変えるとともに、第３レンズ群以降の少なくとも１つのレンズ群を移動させることにより変倍に伴う像面変動を補正する全体で正の屈折力のズームレンズにおいて、前記第１レンズ群が回折光学素子を有し、前記回折光学素子の位相を、
【外１】
1998148757.tif 000001
λ  ：入射光束の波長
Ｃｉ：位相を表す係数
ｈ：光軸からの高さ
とするとき、
１×１０−４＜｜Ｃ２／Ｃ１｜＜１×１０−１
１×１０−７＜｜Ｃ３／Ｃ１｜＜１×１０−４
なる条件を満足することを特徴とするズームレンズ。
【請求項２】
前記回折光学素子は、回折光学面を像面側に有することを特徴とする請求項１記載のズームレンズ。
【請求項３】
前記回折光学素子の位相を、
【外２】
1998148757.tif 000002
λ  ：入射光束の波長
Ｃｉ：位相を表す係数
ｈ  ：光軸からの高さ
前記第１レンズ群の屈折力をΨ１とするとき、
Ψ１・Ｃ１＜０
なる条件を満足することを特徴とする請求項１記載のズームレンズ。
【請求項４】
前記回折光学素子の位相を、
【外３】
1998148757.tif 000003
λ  ：入射光束の波長
Ｃｉ：位相を表す係数
ｈ  ：光軸からの高さ
前記回折光学素子の回折光学面が形成された面の曲率による屈折力をψ１とするとき、
ψ１・Ｃ１＜０
なる条件を満足することを特徴とする請求項１記載のズームレンズ。
【請求項５】
前記第１レンズ群の焦点距離をＦ１、前記回折光学素子の回折光学面のみのの焦点距離をＦｂｏとするとき、
０．０５＜Ｆ１／Ｆｂｏ＜０．７
なる条件を満足することを特徴とする請求項１記載のズームレンズ。
【請求項６】
前記第１レンズ群の焦点距離をＦ１、広角端、望遠端での全系の焦点距離をそれぞれＦｗ、Ｆｔとするとき、
【外４】
1998148757.tif 000004
なる条件を満足することを特徴とする請求項１記載のズームレンズ。
【請求項７】
前記第１レンズ群中に回折光学面が１面のみであり、前記第１レンズ群の焦点距離をＦ１、該回折光学面が形成された面の曲率をＲｂｏとするとき、
｜Ｆ１／Ｒｂｏ｜＜１．８
なる条件を満足することを特徴とする請求項１記載のズームレンズ。
【請求項８】
前記第１レンズ群の光軸上の厚みをｔ１、前記第１レンズ群の焦点距離をＦ１とするとき、
０．１＜ｔ１／Ｆ１＜０．２７
なる条件を満足することを特徴とする請求項１記載のズームレンズ。
【請求項９】
前記回折光学素子は、第１の環状回折格子と、該第１の環状回折格子とは異なる材料で該第１の環状回折格子上に形成された第２の環状回折格子とを有することを特徴とする請求項１記載のズームレンズ。
【請求項１０】
長い共役側より順に、少なくとも、正の屈折力の第１レンズ群、負の屈折力の第２レンズ群、ズーミング中固定の第３レンズ群、第４レンズ群とを有し、広角端から望遠端へのズーミングに際して、前記第２レンズ群を移動させることにより像の大きさを変えるとともに、第４レンズ群以降の少なくとも１つのレンズ群を移動させることにより変倍に伴う像面変動を補正するズームレンズにおいて、前記第２レンズ群が回折光学素子を有し、前記回折光学素子の位相を、
【外５】
1998148757.tif 000005
λ  ：入射光束の波長
Ｃｉ：位相を表す係数
ｈ  ：光軸からの高さ
とするとき、
１×１０−４＜｜Ｃ２／Ｃ１｜＜１×１０＋１
１×１０−５＜｜Ｃ３／Ｃ１｜＜１×１０−３
なる条件を満足することを特徴とするズームレンズ。
【請求項１１】
前記回折光学素子の位相を、
【外６】
1998148757.tif 000006
λ  ：入射光束の波長
Ｃｉ：位相を表す係数
ｈ  ：光軸からの高さ
前記第２レンズ群の屈折力をΨ２とするとき、
Ψ２・Ｃ１＜０
なる条件を満足することを特徴とする請求項１０記載のズームレンズ。
【請求項１２】
前記回折光学素子の位相を、
【外７】
1998148757.tif 000007
λ  ：入射光束の波長
Ｃｉ：位相を表す係数
ｈ  ：光軸からの高さ
前記回折光学素子の回折光学面が形成された面の曲率による屈折力をψ２とするとき、
ψ２・Ｃ１＜０
なる条件を満足することを特徴とする請求項１０記載のズームレンズ。
【請求項１３】
前記第２レンズ群の焦点距離をＦ２、前記回折光学素子の回折光学面の焦点距離をＦｂｏとするとき、
０．１＜｜Ｆ２／Ｆｂｏ｜＜０．７
なる条件を満足することを特徴とする請求項１０記載のズームレンズ。
【請求項１４】
前記第２レンズ群の焦点距離をＦ２、広角端、望遠端での全系の焦点距離をそれぞれＦｗ、Ｆｔとするとき、
【外８】
1998148757.tif 000008
なる条件を満足することを特徴とする請求項１０記載のズームレンズ。
【請求項１５】
前記第２レンズ群中に回折光学面が１面のみであり、前記第２レンズ群の焦点距離をＦ２、該回折光学面が形成された面の曲率をＲｂｏとするとき、
｜Ｆ２／Ｒｂｏ｜＜１．８
なる条件を満足することを特徴とする請求項１０記載のズームレンズ。
【請求項１６】
前記第２レンズ群の光軸上の厚みをｔ２、前記第２レンズ群の焦点距離をＦ２とするとき、
０．０５＜｜ｔ２／Ｆ２｜＜０．４
なる条件を満足することを特徴とする請求項１０記載のズームレンズ。
【請求項１７】
前記回折光学素子は、第１の環状回折格子と、該第１の環状回折格子とは異なる材料で該第１の環状回折格子上に形成された第２の環状回折格子とを有することを特徴とする請求項１０記載のズームレンズ。
【請求項１８】
長い共役側より順に、少なくとも、正の屈折力の第１レンズ群、負の屈折力の第２レンズ群、ズーミング中固定の第３レンズ群、第４レンズ群とを有し、広角端から望遠端への変倍に際して、前記第２レンズ群を移動させることにより像の大きさを変えるとともに、第４レンズ群以降の少なくとも１つのレンズ群を移動させることにより変倍に伴う像面変動を補正するズームレンズにおいて、前記第３レンズ群が回折光学素子を有し、前記回折光学素子の位相を、
【外９】
1998148757.tif 000009
λ  ：入射光束の波長
Ｃｉ：位相を表す係数
ｈ  ：光軸からの高さ
とするとき、
１×１０−４＜｜Ｃ２／Ｃ１｜＜１×１０−１
１×１０−５＜｜Ｃ３／Ｃ１｜＜１×１０−２
なる条件を満足することを特徴とするズームレンズ。
【請求項１９】
前記回折光学素子の位相を、
【外１０】
1998148757.tif 000010
λ  ：入射光束の波長
Ｃｉ：位相を表す係数
ｈ  ：光軸からの高さ
前記第３レンズ群の屈折力をΨ３とするとき、
Ψ３・Ｃ１＜０
なる条件を満足することを特徴とする請求項１８記載のズームレンズ。
【請求項２０】
前記回折光学素子の位相を、
【外１１】
1998148757.tif 000011
λ  ：入射光束の波長
Ｃｉ：位相を表す係数
ｈ  ：光軸からの高さ
前記回折光学素子が形成された面の曲率による屈折力をψ３とするとき、
ψ３・Ｃ１＜０
なる条件を満足することを特徴とする請求項１８記載のズームレンズ。
【請求項２１】
前記第３レンズ群の焦点距離をＦ３、前記回折光学素子の回折光学面のみの焦点距離をＦｂｏとするとき、
０．０５＜Ｆ３／Ｆｂｏ＜０．２
なる条件を満足することを特徴とする請求項１８記載のズームレンズ。
【請求項２２】
前記第３レンズ群の焦点距離をＦ３、広角端、望遠端での全系の焦点距離をそれぞれＦｗ、Ｆｔとするとき、
【外１２】
1998148757.tif 000012
なる条件を満足することを特徴とする請求項１８記載のズームレンズ。
【請求項２３】
前記第３レンズ群中回折光学面が１面のみであり、前記第３レンズ群の焦点距離をＦ３、該回折光学面の曲率をＲｂｏとするとき、
｜Ｆ３／Ｒｂｏ｜＜０．７
なる条件を満足することを特徴とする請求項１８記載のズームレンズ。
【請求項２４】
前記第３レンズ群の光軸上の厚みをｔ３、前記第３レンズ群の焦点距離をＦ３とするとき、
０．１＜ｔ３／Ｆ３＜０．２７
なる条件を満足することを特徴とする請求項１８記載のズームレンズ。
【請求項２５】
前記回折光学素子は、第１の環状回折格子と、該第１の環状回折格子とは異なる材料で該第１の環状回折格子上に形成された第２の環状回折格子とを有することを特徴とする請求項１８記載のズームレンズ。
【請求項２６】
請求項１乃至２５記載のズームレンズを有するカメラ。
【手続補正２】
【補正対象書類名】明細書
【補正対象項目名】００１０
【補正方法】変更
【補正の内容】
【００１０】
【課題を解決するための手段】
上記目的を達成するため、本願第１発明のズームレンズは、長い共役側より順に、正の屈折力の第１レンズ群、負の屈折力の第２レンズ群、第３レンズ群とを有し、広角端から望遠端へのズーミングに際して、前記第２レンズ群を移動させることにより像の大きさを変えるとともに、第３レンズ群以降の少なくとも１つのレンズ群を移動させることにより変倍に伴う像面変動を補正する全体で正の屈折力のズームレンズであって、前記第１レンズ群が回折光学素子を有し、前記回折光学素子の位相を、
【外１３】
1998148757.tif 000013
λ  ：入射光束の波長
Ｃｉ：位相を表す係数
ｈ  ：光軸からの高さ
とするとき、
１×１０−４＜｜Ｃ２／Ｃ１｜＜１×１０−１ （４ａ）
１×１０−７＜｜Ｃ３／Ｃ１｜＜１×１０−４ （５ａ）
なる条件を満足することを特徴としている。
【手続補正３】
【補正対象書類名】明細書
【補正対象項目名】００１１
【補正方法】変更
【補正の内容】
【００１１】
本願第２発明のズームレンズは、長い共役側より順に、正の屈折力の第１レンズ群、負の屈折力の第２レンズ群、ズーミング中固定の第３レンズ群、第４レンズ群とを有し、広角端から望遠端へのズーミングに際して、前記第２レンズ群を移動させることにより像の大きさを変えるとともに、第４レンズ群以降の少なくとも１つのレンズ群を移動させることにより変倍に伴う像面変動を補正するズームレンズにおいて、前記第２レンズ群が回折光学素子を有し、前記回折光学素子の位相を式（１）で表すとき、
１×１０−４＜｜Ｃ２／Ｃ１｜＜１×１０＋１ （４ｂ）
１×１０−５＜｜Ｃ３／Ｃ１｜＜１×１０−３ （５ｂ）
なる条件を満足することを特徴としている。
【手続補正４】
【補正対象書類名】明細書
【補正対象項目名】００１２
【補正方法】変更
【補正の内容】
【００１２】
本願第３発明のズームレンズは、長い共役側より順に、正の屈折力の第１レンズ群、負の屈折力の第２レンズ群、ズーミング中固定の第３レンズ群、第４レンズ群とを有し、広角端から望遠端への変倍に際して、前記第２レンズ群を移動させることにより像の大きさを変えるとともに、第４レンズ群以降の少なくとも１つのレンズ群を移動させることにより変倍に伴う像面変動を補正するズームレンズにおいて、前記第３レンズ群が回折光学素子を有し、前記回折光学素子の位相を式（１）で表すとき、
１×１０−４＜｜Ｃ２／Ｃ１｜＜１×１０−１ （４ｃ）
１×１０−５＜｜Ｃ３／Ｃ１｜＜１×１０−２ （５ｃ）
なる条件を満足することを特徴としている。
【手続補正５】
【補正対象書類名】明細書
【補正対象項目名】００１３
【補正方法】削除
【補正の内容】
【手続補正６】
【補正対象書類名】明細書
【補正対象項目名】００１４
【補正方法】変更
【補正の内容】
【００１４】
また、本願第１乃至第３発明のズームレンズにおいて、回折光学素子の位相を式（１）で表すとき、
Ψｉ・Ｃ１＜０                                        （２）
Ψｉ：回折光学素子を有するレンズ群の屈折力
なる条件を満足することが望ましい。
【手続補正７】
【補正対象書類名】明細書
【補正対象項目名】００１６
【補正方法】削除
【補正の内容】